(57)【特許請求の範囲】
【請求項１】
互いに連結可能に構成された１又は２以上のリレーレンズユニットと、
前記１又は２以上のリレーレンズユニットの基端部に接続可能に構成された接眼レンズユニットと、
前記１又は２以上のリレーレンズユニットの先端部に接続可能に構成された対物レンズユニットと、
前記対物レンズユニットに設けられ、照明光を出射する照明部と、
前記対物レンズユニット又は連結された２以上のリレーレンズユニットの最先端のリレーレンズユニットに設けられ、前記照明部への電力を供給する第１の電源と、
前記対物レンズユニットに設けられ、前記対物レンズユニットに設けられた受信部で受信した電磁波信号に応じて、前記照明部の前記照明光の光量を調節する照明調節部と、
前記接眼レンズユニットに設けられ、前記接眼レンズユニットの視野外から視野内へ移動可能であり、前記電磁波信号を出力する電磁波信号出力部と、
を有することを特徴とする検査装置。
【請求項２】
前記接眼レンズユニットに設けられた操作部を有し、
前記操作部を操作することにより、前記電磁波信号出力部は、前記接眼レンズユニットの視野外から視野内へ移動することを特徴とする請求項１に記載の検査装置。
【請求項３】
互いに連結可能に構成された１又は２以上のリレーレンズユニットと、
前記１又は２以上のリレーレンズユニットの基端部に接続可能に構成された接眼レンズユニットと、
前記１又は２以上のリレーレンズユニットの先端部に接続可能に構成された対物レンズユニットと、
前記対物レンズユニットに設けられ、照明光を出射する照明部と、
前記対物レンズユニット又は連結された２以上のリレーレンズユニットの最先端のリレーレンズユニットに設けられ、前記照明部への電力を供給する第１の電源と、
前記対物レンズユニットに設けられ、電磁波信号を受信する電磁波信号受信部と、
前記対物レンズユニットに設けられ、前記電磁波信号受信部で受信した前記電磁波信号に応じて、前記照明部の前記照明光の光量を調節する照明調節部と、
前記接眼レンズユニットに設けられ、前記電磁波信号を出力する電磁波信号出力部と、
を有し、
前記電磁波信号は、前記１又は２以上のリレーレンズユニットの内側のリレーレンズを通って前記電磁波信号受信部で受信されることを特徴とする検査装置。
【請求項４】
互いに連結可能に構成された１又は２以上のリレーレンズユニットと、
前記１又は２以上のリレーレンズユニットの基端部に接続可能に構成された接眼レンズユニットと、
前記１又は２以上のリレーレンズユニットの先端部に接続可能に構成された対物レンズユニットと、
前記対物レンズユニットに設けられ、照明光を出射する照明部と、
前記対物レンズユニット又は連結された２以上のリレーレンズユニットの最先端のリレーレンズユニットに設けられ、前記照明部への電力を供給する第１の電源と、
前記対物レンズユニットの外側に設けられ、電磁波信号を受信する電磁波信号受信部と、
前記対物レンズユニットに設けられ、前記電磁波信号受信部で受信した前記電磁波信号に応じて、前記照明部の前記照明光の光量を調節する照明調節部と、
前記接眼レンズユニットに設けられ、前記電磁波信号を出力する電磁波信号出力部と、
を有し、
前記電磁波信号受信部は、前記対物レンズユニットの先端側に設けられたミラーによって反射された前記電磁波信号を受信するように前記対物レンズユニットに設けられていることを特徴とする検査装置。
【請求項５】
互いに連結可能に構成された１又は２以上のリレーレンズユニットと、
前記１又は２以上のリレーレンズユニットの基端部に接続可能に構成された接眼レンズユニットと、
前記１又は２以上のリレーレンズユニットの先端部に接続可能に構成された対物レンズユニットと、
前記対物レンズユニットに設けられ、照明光を出射する照明部と、
前記対物レンズユニット又は連結された２以上のリレーレンズユニットの最先端のリレーレンズユニットに設けられ、前記照明部への電力を供給する第１の電源と、
前記対物レンズユニットの外側に設けられ、電磁波信号を受信する電磁波信号受信部と、
前記対物レンズユニットに設けられ、前記電磁波信号受信部で受信した前記電磁波信号に応じて、前記照明部の前記照明光の光量を調節する照明調節部と、
前記接眼レンズユニットに設けられ、前記電磁波信号を出力する電磁波信号出力部と、
を有し、
前記電磁波信号出力部からの前記電磁波信号は、前記１又は２以上のリレーレンズユニットを支持する支持装置を介して前記電磁波信号受信部で受信されることを特徴とする検査装置。
【請求項６】
前記電磁波信号は、前記支持装置の形成された隙間を通って前記電磁波信号受信部で受信されることを特徴とする請求項５に記載の検査装置。
【請求項７】
前記支持装置は、複数あり、
各支持装置は、第２の電源を有し、
前記電磁波信号は、最基端の前記各支持装置において受信され、
前記各支持装置は、受信した前記電磁波信号に基づいて前記電磁波信号と同じ電磁波信号を生成して出力することを特徴とする請求項５に記載の検査装置。
【請求項８】
互いに連結可能に構成された１又は２以上のリレーレンズユニットと、
前記１又は２以上のリレーレンズユニットの基端部に接続可能に構成された接眼レンズユニットと、
前記１又は２以上のリレーレンズユニットの先端部に接続可能に構成された対物レンズユニットと、
前記対物レンズユニットに設けられ、照明光を出射する照明部と、
前記対物レンズユニット又は連結された２以上のリレーレンズユニットの最先端のリレーレンズユニットに設けられ、前記照明部への電力を供給する第１の電源と、
前記対物レンズユニットの内側に設けられ、電磁波信号を受信する電磁波信号受信部と、
前記対物レンズユニットに設けられ、前記電磁波信号受信部で受信した前記電磁波信号に応じて、前記照明部の前記照明光の光量を調節する照明調節部と、
前記接眼レンズユニットに設けられ、前記電磁波信号を出力する電磁波信号出力部と、
を有し、
前記電磁波信号受信部は、前記電磁波信号出力部から出力され、前記１又は２以上のリレーレンズユニット内を通った前記電磁波信号を受信することを特徴とする検査装置。
【請求項９】
互いに連結可能に構成された１又は２以上のリレーレンズユニットと、
前記１又は２以上のリレーレンズユニットの基端部に接続可能に構成された接眼レンズユニットと、
前記１又は２以上のリレーレンズユニットの先端部に接続可能に構成された対物レンズユニットと、
前記対物レンズユニットに設けられ、照明光を出射する照明部と、
前記対物レンズユニット又は連結された２以上のリレーレンズユニットの最先端のリレーレンズユニットに設けられ、前記照明部への電力を供給する第１の電源と、
前記対物レンズユニットの内側に設けられ、電磁波信号を受信する電磁波信号受信部と、
前記対物レンズユニットに設けられ、前記電磁波信号受信部で受信した前記電磁波信号に応じて、前記照明部の前記照明光の光量を調節する照明調節部と、
前記接眼レンズユニットに設けられ、前記電磁波信号を出力する電磁波信号出力部と、
を有し、
各リレーレンズユニットは、第３の電源を有し、
前記各リレーレンズユニットは、受信した前記電磁波信号に基づいて前記電磁波信号と同じ電磁波信号を生成して出力することを特徴とする検査装置。
【請求項１０】
互いに連結可能に構成された１又は２以上のリレーレンズユニットと、
前記１又は２以上のリレーレンズユニットの基端部に接続可能に構成された接眼レンズユニットと、
前記１又は２以上のリレーレンズユニットの先端部に接続可能に構成された対物レンズユニットと、
前記対物レンズユニットに設けられ、照明光を出射する照明部と、
前記対物レンズユニット又は連結された２以上のリレーレンズユニットの最先端のリレーレンズユニットに設けられ、前記照明部への電力を供給する第１の電源と、
前記対物レンズユニットの内側に設けられ、電磁波信号を受信する電磁波信号受信部と、
前記対物レンズユニットに設けられ、前記電磁波信号受信部で受信した前記電磁波信号に応じて、前記照明部の前記照明光の光量を調節する照明調節部と、
前記接眼レンズユニットに設けられ、前記電磁波信号を出力する電磁波信号出力部と、
を有し、
各リレーレンズユニットは、受信した前記電磁波信号を光ファイバを介して出射することを特徴とする検査装置。
【請求項１１】
互いに連結可能に構成された１又は２以上のリレーレンズユニットと、
前記１又は２以上のリレーレンズユニットの基端部に接続可能に構成された接眼レンズユニットと、
前記１又は２以上のリレーレンズユニットの先端部に接続可能に構成された対物レンズユニットと、
前記対物レンズユニットに設けられ、照明光を出射する照明部と、
前記対物レンズユニット又は連結された２以上のリレーレンズユニットの最先端のリレーレンズユニットに設けられ、前記照明部への電力を供給する第１の電源と、
前記対物レンズユニットの内側に設けられ、電磁波信号を受信する電磁波信号受信部と、
前記対物レンズユニットに設けられ、前記電磁波信号受信部で受信した前記電磁波信号に応じて、前記照明部の前記照明光の光量を調節する照明調節部と、
前記接眼レンズユニットに設けられ、前記電磁波信号を出力する電磁波信号出力部と、
を有し、
各リレーレンズユニットは、外筒部材と、前記外筒部材の内側に設けられた内筒部材とを有し、
前記電磁波信号受信部は、前記電磁波信号出力部から出射され、前記外筒部材と前記内筒部材の間に形成された隙間を通った前記電磁波信号を受信することを特徴とする検査装置。
【請求項１２】
前記電磁波信号は、赤外光又はレーザ光であることを特徴とする請求項１から１１のいずれか１つに記載の検査装置。
【請求項１３】
前記接眼レンズユニットには、撮像装置を装着可能であることを特徴とする請求項１から１２のいずれか１つに記載の検査装置。
【請求項１４】
前記対物レンズユニットは、細長形状を有し、前記細長形状の前方からあるいは側方から被検体の像を取得することを特徴とする請求項１から１３のいずれか１つに記載の検査装置。
【請求項１５】
前記リレーレンズユニットは、２つの視野レンズと、前記２つの視野レンズ間に配置された結像レンズとを有し、
前記２つの視野レンズの１つは、入射した光を前記結像レンズに出射し、
前記結像レンズは、入射した光を前記２つの視野レンズの他方へ出射し、
前記２つの視野レンズの前記他方は、入射した光を平行光として出射することを特徴とする請求項１から１４のいずれか１つに記載の検査装置。
【請求項１６】
前記対物レンズユニットは、前記第１の電源の消耗状態を、光の変化により示すことを特徴とする請求項１から１５のいずれか１つに記載の検査装置。
【発明の詳細な説明】
【技術分野】
【０００１】
本発明は、検査装置に関し、特に、長さを変更可能な検査装置に関する。
【背景技術】
【０００２】
従来より、工業用内視鏡等の検査装置が広く利用されている。例えば、タービンロータの中心穴の表面検査のための穴内表面検査装置が、特開平１−１９６５４５号公報に提案されている。
【０００３】
その提案の装置では、先端部に設けられたCCDテレビカメラにより検査部位の画像が取得され、検査者は、モニタに表示されたその画像を見て検査を行うことができる。このような装置は、各種検査対象に穿設された穴等の内表面の検査に用いることができる。
【０００４】
また、リレーレンズを有する複数の筒部を連結して構成された硬性鏡も知られている。筒部の数を調整することにより、検査対象に応じて硬性鏡の挿入部の長さを調整することができる。その硬性鏡では、手元側に照明用の電源が配置され、電源からの電力は、各筒部に設けられた配線を介して、先端部の照明部に供給される。
【先行技術文献】
【特許文献】
【０００５】
【特許文献１】特開平０１−１９６５４５号公報
【発明の概要】
【発明が解決しようとする課題】
【０００６】
しかし、上述した特開平１−１９６５４５号公報に提案の装置の場合、検査対象をCCDカメラによる画像ではなく、光学系を通った検査対象の反射光を目で見て観察したいという要求に対しては、対応できない。
【０００７】
さらに、上述した特開平１−１９６５４５号公報に提案の装置の場合、検査装置本体を牽引する牽引ケーブルを巻き取り及び送り出すためのプーリ、電動ウインチ等の移動装置、CCDカメラの画像を処理する画像処理部、さらに画像を表示するテレビモニタも必要となり、検査システムが大がかりになるという問題がある。
【０００８】
また、上述したリレーレンズを有する複数の筒部が連結された硬性鏡の場合、硬性鏡の挿入部の長さを調整することはできるが、各筒部に設けられた配線は、接続された隣接する筒部の配線と、筒部に設けられた接点同士の接触により、手元側の電源からの電力が先端部の照明部に供給される。そのため、接点の劣化、接触不良などにより照明が点灯しなかったり、照明が暗くなったりして適切な照明の光量調節をすることができない場合があるという問題がある。
【０００９】
そこで、本発明は、CCDカメラなどの撮像装置による画像でなく検査対象の反射光を目で観察でき、照明の光量調節を確実に行うことができかつ所望の長さに調整可能な検査装置を提供することを目的とする。
【課題を解決するための手段】
【００１０】
本発明の一態様によれば、互いに連結可能に構成された１又は２以上のリレーレンズユニットと、前記１又は２以上のリレーレンズユニットの基端部に接続可能に構成された接眼レンズユニットと、前記１又は２以上のリレーレンズユニットの先端部に接続可能に構成された対物レンズユニットと、前記対物レンズユニットに設けられ、照明光を出射する照明部と、前記対物レンズユニット又は連結された２以上のリレーレンズユニットの最先端のリレーレンズユニットに設けられ、前記照明部への電力を供給する第１の電源と、前記対物レンズユニットに設けられ、前記対物レンズユニットに設けられた受信部で受信した電磁波信号に応じて、前記照明部の前記照明光の光量を調節する照明調節部と、前記接眼レンズユニットに設けられ、前記接眼レンズユニットの視野外から視野内へ移動可能であり、前記電磁波信号を出力する電磁波信号出力部と、を有する検査装置を提供することができる。
【発明の効果】
【００１１】
本発明によれば、CCDカメラなどの撮像装置による画像でなく検査対象の反射光を目で観察でき、照明の光量調節を確実に行うことができかつ所望の長さに調整可能な検査装置を提供することができる。
【図面の簡単な説明】
【００１２】
【図１】本発明の第１の実施の形態に係わる検査装置の構成を示す断面図である。
【図２】本発明の第１の実施の形態に係わる制御基板１９の構成を説明するためのブロック図である。
【図３】本発明の第１の実施の形態に係わる、対物レンズユニット２、リレーレンズユニット３及び接眼レンズユニット４の光学系を示す図である。
【図４】本発明の第１の実施の形態に係わる、接眼レンズユニット４に内蔵される視野絞りとLED４７が設けられたガラス板の正面図である。
【図５】本発明の第１の実施の形態に係わる、各フォトダイオード２２の受光面が円筒状の接続管１２の内径方向に向くように、複数のフォトダイオード２２が設けられた対物レンズユニット２の部分断面図である。
【図６】本発明の第１の実施の形態に係わる、円形のガラス板５１にリング状に複数のLED４７を設け、対物レンズユニット２には１つのフォトダイオード２２を設けた場合の光学系を示す図である。
【図７】本発明の第１の実施の形態に係わる、LED４７を複数設け、リング状にLED４７からの光を出射させるための他の構成を示す斜視図である。
【図８】本発明の第１の実施の形態に係わる、LED４７を複数設けずに、リング状に１つのLED４７からの光を出射させるための構成を示す斜視図である。
【図８Ａ】図８の構成の変形例を示す斜視図である。
【図９】本発明の第１の実施の形態に係わる、赤外線出射装置４９からの赤外光を、最先端のリレーレンズユニット３に設けられたフォトダイオード２２によって受光する場合の光学系を示す図である。
【図１０】本発明の第１の実施の形態の変形例１の検査装置の対物レンズユニットの部分断面図である。
【図１１】本発明の第１の実施の形態の変形例１の検査装置の対物レンズユニットの先端側から見た図である。
【図１２】本発明の第１の実施の形態の変形例２に係わる検査装置１Aの構成を示す断面図である。
【図１３】本発明の第１の実施の形態の変形例３に係わる対物レンズユニット２Cの部分断面図である。
【図１４】本発明の第１の実施の形態の変形例４に関わる検査装置の接眼レンズユニット４Aの構成を示す断面図である。
【図１５】図１４の接眼レンズユニット４Aを基端側から見た図である。
【図１６】本発明の第１の実施の形態の変形例４に関わる可動機構９１の部分拡大断面図である。
【図１７】本発明の第１の実施の形態の変形例５に関わる検査装置の接眼レンズユニット４Bの構成を示す斜視図である。
【図１８】図１７の接眼レンズユニット４Bを基端側から見た図である。
【図１９】本発明の第１の実施の形態の変形例６に係わる検査装置１Bの構成を示す断面図である。
【図２０】本発明の第１の実施の形態の変形例７に係わる検査装置１Cの構成を示す断面図である。
【図２１】本発明の第１の実施の形態の変形例８に係わる検査装置１Dの構成を示す断面図である。
【図２２】本発明の第１の実施の形態の変形例９に関わる、赤外光が検査装置内を通るようにした場合の検査装置１Eの構成を示す断面図である。
【図２３】本発明の第１の実施の形態の変形例１０に関わる、赤外光が検査装置内を通るようにした場合の検査装置１Fの構成を示す断面図である。
【図２４】本発明の第１の実施の形態の変形例１１に関わる、赤外光が検査装置内を通るようにした場合の検査装置１Gの構成を示す断面図である。
【図２５】図２４のXXV-XXV線に沿った断面図である。
【図２６】本発明の第１の実施の形態の変形例１２に係わる検査装置の構成を示す断面図である。
【図２７】本発明の第２の実施の形態に関わる、赤外光が検査装置内を通るようにした場合の検査装置１Hの構成を示す断面図である。
【図２８】本発明の第２の実施の形態に関わる対物レンズユニット２Jの基板２２ｂの斜視図である。
【図２９】本発明の第２の実施の形態に関わる、検査装置１Hの回動に伴う加速度センサ１７１のXYZ方向における加速度と、光量の増減を示すタイミングチャートである。
【図３０】本発明の第２の実施の形態の変形例１に関わる、空気が検査装置内を通るようにした場合の検査装置１Iの構成を示す断面図である。
【図３１】図２９のXXX-XXX線に沿った検査装置１Iの断面図である。
【図３２】本発明の第２の実施の形態の変形例２に関わる、対物レンズユニット２Lの構成を示す断面図である。
【図３３】本発明の第２の実施の形態の変形例２に関わる、対物レンズユニット２Mの構成を示す断面図である。
【図３４】本発明の第１及び第２の実施の形態の変形例に関わる、バッテリ残量が少ないことを知らしめる対物レンズユニット２Gの部分断面図である。
【図３５】本発明の第１及び第２の実施の形態の変形例に関わる、複数のフォトダイオード２２と複数のLEDが搭載されたリング状の基板２２ｃの斜視図である。
【発明を実施するための形態】
【００１３】
以下、図面を参照して本発明の実施の形態を説明する。
（第１の実施の形態）
図１は、本実施の形態に係わる検査装置の構成を示す断面図である。
【００１４】
本実施の形態の検査装置１は、対物レンズユニット２と、リレーレンズユニット３と、接眼レンズユニット４とを含んで構成されるであるボアスコープである。リレーレンズユニット３は、２点鎖線で示すように、複数連設可能となっている。
【００１５】
対物レンズユニット２とリレーレンズユニット３は接続可能である。リレーレンズユニット３と接眼レンズユニット４も接続可能である。検査装置１は、対物レンズユニット２と１又は２以上のリレーレンズユニット３と接眼レンズユニット４を連結して構成された硬性鏡である。
【００１６】
すなわち、検査装置１は、互いに連結可能に構成された１又は２以上のリレーレンズユニット３と、１又は２以上のリレーレンズユニット３の基端部に接続可能に構成された接眼レンズユニット４と、１又は２以上のリレーレンズユニット３の先端部に接続可能に構成された対物レンズユニット２とを有して構成されている。
（対物レンズユニットの構成）
対物レンズユニット２は、筒体１１と、接続管１２と、蓋１３と、レンズ枠体１４とを有する。筒体１１は、ステンレスなどの金属製である。接続管１２は、筒体１１に螺子などの固定手段により固定されている。筒体１１の中央部には、テーパ面を有する凹部１１ａが形成され、凹部１１ａには、開口部１１ｂが形成されている。開口部１１ｂには、照明ランプ１５とプリズム１６が配置されている。
対物レンズユニット２は、細長形状を有し、細長形状の側方から被検体の像を取得する。
【００１７】
筒体１１には、バッテリ１７を収容する凹部１１ｃが形成されており、バッテリ交換のために、凹部１１ｃを塞ぐための蓋１８が着脱自在となっている。  
筒体１１の先端側に設けられて固定された蓋１３の内側に、照明ランプ１５を制御する制御基板１９が配置されている。制御基板１９は、照明ランプ１５のオン・オフ及び光量調整を行うための制御回路が搭載され、照明ランプ１５とバッテリ１７とはリード線２０により接続されている。照明ランプ１５は、発光ダイオード（LED）などの発光素子を有する照明器である。すなわち、照明ランプ１５は、対物レンズユニット２に設けられ、照明光を出射する照明部を構成する。そして、バッテリ１７は、対物レンズユニット２に設けられ、照明ランプ１５への電力を供給する電源である。
【００１８】
筒体１１と接続管１２の内側には、レンズ枠体１４が設けられている。レンズ枠体１４には、複数の対物レンズ２１が固定されている。  
照明ランプ１５により、被検体は照明され、筒体１１の側面側から入射した被検体からの反射光は、プリズム１６で反射されて筒体１１の基端方向に進み、複数の対物レンズ２１に入射して、筒体１１の基端方向へすなわち接眼レンズユニット４の方へ出射する。
【００１９】
レンズ枠体１４は、筒状を有しており、レンズ枠体１４の円形の基端面には、電磁波信号である赤外光を受光する光センサとしてのフォトダイオード２２が、同心円状の位置に複数設けられている。複数のフォトダイオード２２は、リング状の基板２２ａ上に搭載され、筒体１１の基端方向からの赤外光を受光できるようにリング状に配設されている。すなわち、複数のフォトダイオード２２は、対物レンズユニット２の内側に設けられ、電磁波信号である赤外光を受信する電磁波信号受信部を構成する。
【００２０】
後述するように、各フォトダイオード２２は、検査者であるユーザが接眼レンズユニット４から被検体をみたときに、ユーザの視野内には入らない位置に配設されている。  
リング状の基板２２ａは、フレア絞りの機能も兼ねており、基板２２ａの先端側の表面２２ａ１は非反射性の黒色塗料が塗布されている。
【００２１】
フレア絞り部材は、基板２２ａとは別部材として設けてもよいが、ここでは、基板２２ａにフレア絞りの機能も持たせて、対物レンズユニット２の部品点数の低減が図られている。
【００２２】
図２は、制御基板１９の構成を説明するためのブロック図である。  
制御基板１９は、制御回路１９ａと入力回路１９ｂとを有する。複数のフォトダイオード２２が入力回路１９ｂに接続されており、入力回路１９ｂは、各フォトダイオード２２の出力信号を受信して制御回路１９ａへ供給する。各フォトダイオード２２と制御基板１９は、図示しないリード線により接続されている。  
後述するように、各フォトダイオード２２には、照明ランプ２２の出射光量の増加又は減少を指示する光量調節信号の赤外光が入射される。各フォトダイオード２２は、受光した赤外光に応じた出力信号を制御回路１９ａに出力する。
【００２３】
制御回路１９ａは、複数のフォトダイオード２２から、光量増加の光量調節信号に応じた出力信号を受信すると、照明ランプ１５の光量を増加させるランプ駆動信号を照明ランプ１５へ出力する。制御回路１９ａは、複数のフォトダイオード２２から、光量減少の光量調節信号に応じた出力信号を受信すると、照明ランプ１５の光量を減少させるランプ駆動信号を照明ランプ１５へ出力する。
【００２４】
例えば、制御回路１９ａは、カウンタを有し、カウンタには、照明ランプ１５の光量に応じたカウンタ値が設定される。制御回路１９ａは、複数のフォトダイオード２２からの出力信号に応じて、カウンタ値を増減させて、カウンタ値に応じたランプ駆動信号を生成して照明ランプ１５へ出力する。
（リレーレンズユニットの構成）
図１に戻り、リレーレンズユニット３は、３つのリレーレンズ３１ａ、３１ｂ、３１ｃと、筒体３２と、対物レンズユニット２あるいは他のリレーレンズユニット３との接続のための接続管３３と、接眼レンズユニット４あるいは他のリレーレンズユニット３との接続のための接続管３４とを有して構成されている。筒体３２は、前側筒体３２ａと、後側筒体３２ｂと、前側筒体３２ａと後側筒体３２ｂとを接続し固定する接続用筒体３２ｃとから構成される。筒体３２を構成する各部材及び接続管３３、３４は、ステンレスなどの金属製である。接続管３３、３４は、筒体３２に螺子などの固定手段により固定されている。
【００２５】
前側筒体３２ａは、中央部に段差を有し、前側筒体３２ａの前側部分は、接続管３３の基端部分に嵌合可能な接続用口金を構成する。
【００２６】
接続管３３の基端部には、レンズ枠３３ａが固定されており、レンズ枠３３ａに、リレーレンズ３１ａが固定部材３５ａにより固定されている。接続管３３の後側部分は、レンズ枠３３ａと共に、筒体３２の先端部分に内挿されて嵌合するように固定されている。
【００２７】
接続用筒体３２ｃの内側の中央部分には、レンズ枠３３ｂが固定されており、レンズ枠３３ｂに、リレーレンズ３１ｂが固定部材３５ｂにより固定されている。  
前側筒体３２ａの基端部が接続用筒体３２ｃの先端部分に内挿され、後側筒体３２ｂの先端部は接続用筒体３２ｃの基端部分に内挿されて、レンズ枠３３ｂを前側筒体３２ａと後側筒体３２ｂによって挟むように、前側筒体３２ａと後側筒体３２ｂが接続用筒体３２ｃに、螺子、接着剤などの固定手段により固定されている。
【００２８】
接続管３４の先端部には、レンズ枠３３ｃが固定されており、レンズ枠３３ｃに、リレーレンズ３１ｃが固定部材３５ｃにより固定されている。接続管３４の前側部分は、レンズ枠３３ｃと共に、筒体３２の基端部分に内挿されて嵌合するように固定されている。
【００２９】
レンズ枠３３ａ、３３ｂ、３３ｃ、及び固定部材３５ａ、３５ｂ、３５ｃは、ステンレスなどの金属製である。  
各リレーレンズ３１ａ、３１ｂ、３１ｃは、２枚のレンズを合わせた接合レンズであり、接合レンズは、いずれも、平凸レンズである。リレーレンズ３１ａと３１ｃは、視野レンズであり、リレーレンズ３１ｂは、結像レンズである。リレーレンズ３１ａは、平行に入射された光を結像レンズであるリレーレンズ３１ｂに出射し、リレーレンズ３１ｃは、リレーレンズ３１ｂからの光を平行光で出射する。
以上のように、リレーレンズユニット３は、２つの視野レンズと、２つの視野レンズ間に配置された結像レンズとを有し、２つの視野レンズの１つは、入射した光を結像レンズに出射し、結像レンズは、入射した光を２つの視野レンズの他方へ出射し、２つの視野レンズの他方は、入射した光を平行光として出射する。
なお、ここでは、リレーレンズは３つの平凸となる接合レンズよりなるものとしたが、この構成に限るものではない。
【００３０】
複数のリレーレンズユニット３が連結可能なように、リレーレンズユニット３の先端部分は、リレーレンズユニット３の基端部分に外挿されて嵌合するように形成されている。筒体３２を前側筒体３２ａと後側筒体３２ｂと分割することで、リレーレンズユニットのレンズの位置を設定しやすく、組み付け後に調整が容易になる。つまり、連結部をねじ等の構造として、レンズの間の位置調整を可能とすることができるメリットがある。さらに、分割することで持ち運びやすいというメリットもある。
（接眼レンズユニットの構成）
接眼レンズユニット４は、ステンレスなどの金属製の筒体４１を有し、筒体４１内に接眼レンズ４２が設けられている。筒体４１の先端側に、ステンレスなどの金属製の接続用口金４３が固定されている。接続用口金４３は、リレーレンズユニット３の基端部が内挿されて嵌合可能な形状を有している。
【００３１】
接眼レンズユニット４は、照明の光量調節用の２つのスイッチ４４ａと４４ｂを有し、ユーザが操作可能となっている。スイッチ４４ａは、照明ランプ１５の光量の増加を指示するためのスイッチであり、スイッチ４４ｂは、照明ランプ１５の光量の減少を指示するためのスイッチである。
【００３２】
筒体４１には、バッテリ４５を収容する凹部４１ａが形成されており、凹部４１ａを塞ぐための蓋４６が着脱自在に取り付けられている。ユーザは、蓋４６を開けて、バッテリ４５の交換を行うことができる。
【００３３】
接続用口金４３の基端部には、赤外光出射部としての発光ダイオード（以下、LEDという）４７が設けられている。  
各スイッチ４４ａ、４４ｂは、制御基板４８に接続されている。スイッチ４４ａが押下されると、制御基板４８は照明ランプ１５の光量の増加を指示する増加パルス信号を生成して、LED４７に供給する制御回路を有している。スイッチ４４ｂが押下されると、制御回路４８は照明ランプ１５の光量の減少を指示する減少パルス信号を生成して、LED４７に供給する。LED４７は、増加パルス信号又は減少パルス信号に応じた赤外光IRを出射する。赤外光IRは、接続用口金４３の先端方向へ出射される。
【００３４】
LED４７からの赤外光IRは、リレーレンズユニット３内を通って、対物レンズユニット２の複数のフォトダイオード２２のいずれかにおいて受光される。対物レンズユニット２の制御回路１９ａは、受信した赤外光に応じて、照明ランプ１５の光量を調節する。
【００３５】
よって、制御基板１９は、対物レンズユニット２に設けられ、対物レンズユニット２に設けられた受信部である複数のフォトダイオード２２で受信した電磁波信号である赤外光に応じて、照明ランプ１５の照明光の光量を調節する照明調節部を構成する。そして、LED４７は、接眼レンズユニット４に設けられ、電磁波信号である赤外光を出力する電磁波信号出力部を構成する。
【００３６】
なお、ここでは、スイッチ４４ａ及び４４ｂ、バッテリ４５、LED４７及び制御回路４８は、接眼レンズユニット４の内部に設けられているが、接眼レンズユニット４に設けなくても良い。例えば、図１において二点鎖線で示すように、接眼レンズユニット４とは別体のリモコンユニットのような赤外線出射装置４９に、スイッチ４４ａ及び４４ｂ、バッテリ４５、LED４７及び制御基板４８を設け、接眼レンズユニット４の接眼部の近傍から先端方向に向かって、赤外光IRを出射させて、接眼レンズユニット４に入射させるようにしてもよい。
【００３７】
さらになお、図１では、筒体４１は接続用口金４３に固定されているが、筒体４１が接続用口金４３の軸回りに回動可能となるように、筒体４１と接続用口金４３とを構成してもよい。
【００３８】
その場合、接眼レンズ４２は、接続用口金４３内に設けられ、スイッチ４４ａ、４４ｂ、バッテリ４５及び制御基板４８は、筒体４１に内蔵される。スイッチ４４ａ、４４ｂ、バッテリ４５及び制御基板４８とLED４７との接続は、スリップリングを介して行ったり、制御基板４８とLED４７とを結ぶ配線を長くしてかつ弛ませたりする。
【００３９】
筒体４１を接続用口金４３の軸回りに回動可能にすれば、ユーザが検査中に検査装置１を軸回りに回動させても、スイッチ４４ａ、４４ｂの位置が変更可能なので、ユーザは、スイッチ４４ａ、４４ｂの操作がし易い。
【００４０】
なお、接眼レンズユニット４には、図１において二点鎖線で示すように、画像を記録するためのCCDイメージセンサなどの撮像素子を有する撮像装置としてのカメラ５０も装着可能となっている。
発光ダイオード４７とフォトダイオード２２の配置する位置を同じサイズの同心円状に置くことで光軸が若干ずれても信号の送受信が可能になる。
（光学系）
次に検査装置１の光学系について説明する。
【００４１】
図３は、対物レンズユニット２、リレーレンズユニット３及び接眼レンズユニット４の光学系を示す図である。図４は、接眼レンズユニット４に内蔵される視野絞りとLED４７が設けられたガラス板の正面図である。
【００４２】
図３において、FPは、対物レンズユニット２及び各リレーレンズユニット３の結像面を示す。各結像面に形成された光学像が、リレーレンズユニット３により伝達されて、接眼レンズユニット４に伝達される。
【００４３】
接眼レンズユニット４に設けられた円形のガラス板５１には、目盛り５２を有するレチクルが設けられている。ガラス板５１の先端側、すなわちリレーレンズ側には、視野絞り５３が設けられている。図４は、ガラス板５１を先端側から見た図である。  
図４に示すように、LED４７は、視野絞り５３の光が通る絞りの縁５３ａの外側に配置されている。
【００４４】
被検体からの光は、対物レンズユニット２内の複数の対物レンズ２１を通り、続いて各リレーレンズユニット３内の３つのリレーレンズ３１ａ、３１ｂ、３１ｃを通り、接眼レンズユニット４の視野絞り５３の内側の開口を通る。LED４７は、視野外に設けられている。  
LED４７から出射された電磁波である赤外光は、複数のリレーレンズユニット３を通って対物レンズユニット２の基端部に入射する。
【００４５】
LED４７が１つの場合、リレーレンズユニット３の数及び連結時の向きによって対物レンズユニット２の基端部に入射する赤外光の位置が異なってしまう。  
そこで、ここでは、複数のフォトダイオード２２が、連結される複数のリレーレンズユニット３の数に拘わらずに、確実に赤外光を受光するようにリング状に設けられている。
【００４６】
図３の場合、フォトダイオード２２の受光面が光軸Oの基端方向の向くように、フォトダイオード２２は、対物レンズユニット２内に設けられる。
よって、電磁波信号出力部であるLED４７から出力された赤外光は、複数のリレーレンズユニット３の内側のリレーレンズを通って、電磁波信号受信部である複数のフォトダイオード２２で受信される。
なお、フォトダイオード２２は、光軸Oの基端方向に略直交する方向に向くように、対物レンズユニット２内に設けてもよい。
【００４７】
図５は、各フォトダイオード２２の受光面が円筒状の接続管１２の内径方向に向くように、複数のフォトダイオード２２が設けられた対物レンズユニット２の部分断面図である。
【００４８】
図５に示すように、各フォトダイオード２２の受光面が円筒状の接続管１２の内径方向に向くように、複数のフォトダイオード２２は、接続管１２の内周面に沿って配置されている。
【００４９】
さらに、リング状部材１２Aが、接続管１２の内周面１２ａに固定される。リング状部材１２Aは、基端方向からの光を、一点鎖線で示すように、複数のフォトダイオード２２の各受光面に向かうように反射させるリング状の傾斜面である反射面１２Aａを有している。
【００５０】
さらに、リング状部材１２Aはフレア絞りの機能を有していてもよく、その場合、先端側の面１２Abは、反射防止のための黒色塗料が塗布されている。  
また、接眼レンズユニット４のLED４７をリング状になるように複数配置して、対物レンズユニット２のフォトダイオード２２を１つにしてもよい。
【００５１】
図６は、円形のガラス板５１にリング状に複数のLED４７を設け、対物レンズユニット２には１つのフォトダイオード２２を設けた場合の光学系を示す図である。複数のLED４７は、図４の二点鎖線で示す円形に沿って視野絞り５３上に設けられる。
【００５２】
複数のLED４７がリング状に設けられているので、対物レンズユニット２には、少なくとも１つのフォトダイオード２２を設ければよい。  
なお、複数のLED４７を設ける場合は、レンズを用いて、赤外光が平行光として出射されるようにしてもよい。
【００５３】
図７は、LED４７を複数設け、リング状にLED４７からの光を出射させるための他の構成を示す斜視図である。  
透明な円筒形状の透明部材６１の基端面に複数のLED４７が設けられている。透明部材６１の材質は、ガラス、アクリル、ポリカーボネートなどである。
【００５４】
透明部材６１の先端面には、複数のLED４７に対応するように複数のレンズ６２が設けられている。各レンズ６２は、平凸レンズである。各LED４７から出射した光は、対応するレンズ６２に向けて出射され、レンズ６２の先端面から平行光として出射されるように、各レンズ６２は形成されている。
また、LED４７の向きを明るさ絞りの開放している向きの方向に傾けて配置しても良く、光が通過する光量が多くなるというメリットがある。
【００５５】
よって、複数のLED４７から出射された光は、透明部材６１内を通り、複数のレンズ６２から平行光として前面側に出射する。  
さらになお、複数のLED４７を用いずに、リング状の光を出射するようにしてもよい。
【００５６】
図８は、LED４７を複数設けずに、リング状に１つのLED４７からの光を出射させるための構成を示す斜視図である。  
円筒形状の透明部材６３の基端側の一部に切り欠き部６３ａを設け、その切り欠き部６３ａにLED４７が、光が透明部材６３内に出射されるように固定される。透明部材６３の材質は、ガラス、アクリル、ポリカーボネートなどである。  
透明部材６３の前面は、光が散乱するように磨りガラスのような散乱面６３ｂである。
【００５７】
LED４７から出射された光は、透明部材６３内を通り、かつ透明部材６３において内面反射して、散乱面６３ｂから出射する。散乱面６３ｂは、リング状であるので、リング状の光が前面側に出射する。  
なお、ここでは、透明部材６３に１つのLED４７が設けられているが、２以上でもよい。
また、円筒形状の透明部材６３が切り欠き部６３ａを有さなくてもよい。
図８Aは、図８の構成の変形例を示す斜視図である。すなわち、円筒形状の透明部材６３Aの両端面６３Aaと６３Abは、光が散乱するように磨りガラスのような散乱面であり、LED４７が、光を透明部材６３A内に出射するように端面６３Aaに固定される。LED４７からの光は、端面６３Aaと６３Abにおいて散乱して、端面６３Abから円形に前面側に出射する。
なお、図８Aの場合も、２以上のLED４７を端面６３Aaに設けてもよい。
【００５８】
図６の場合、対物レンズユニット２のフォトダイオード２２が１つなので、バッテリ１７の消費電力が少なくて済むというメリットがある。  
また、上述したように、赤外線出射装置４９を用いて、接眼レンズユニット４の接眼レンズに直接赤外光を入力する場合は、被検体の画像の一部がケラレルことのないように、対物レンズユニット２ではなく、最先端のリレーレンズユニット３にフォトダイオード２２を設ける。
【００５９】
図９は、赤外線出射装置４９からの赤外光を、最先端のリレーレンズユニット３に設けられたフォトダイオード２２によって受光する場合の光学系を示す図である。  
赤外線出射装置４９から出射した赤外光は、接眼レンズユニット４の図示しない明るさ絞りを通って接眼レンズ４２に入射する。赤外線出射装置４９から出射した赤外光は、複数のリレーレンズユニット３の内部を通って、対物レンズユニット２の結像面上に結像するが、フォトダイオード２２は、最先端のリレーレンズユニット３の結像レンズであるリレーレンズ３１ｂの近傍に配置され、赤外光を受光する。  
その場合、最先端のリレーレンズユニット３のフォトダイオード２２の電源は、対物レンズユニット２のバッテリ１７から取得できるように、対物レンズユニット２と最先端のリレーレンズユニット３のそれぞれに接点２ａと３ａが設けられる。すなわち、バッテリ１７は、連結された１又は２以上のリレーレンズユニット３のうち最先端のリレーレンズユニット３に設けられ、照明ランプ１５への電力を供給する電源である。
（作用）
例えば、タービンロータなど回転中心を通る軸に沿って穿設された中心穴に、対物レンズユニット２から検査装置１が挿入される。
【００６０】
検査装置１が挿入される穴の深さ、すなわち中心穴の長さに応じて、リレーレンズユニット３の数を調整して、対物レンズユニット２の基端部に、１又は２以上のリレーレンズユニット３を連結して固定し、最基端のリレーレンズユニット３の基端部に、接眼レンズユニット４を接続して固定することによって、検査装置１が組み立てられる。
【００６１】
ユーザは、図示しないモニタに表示された内視鏡画像を見ながら、スイッチ４４ａ又は４４ｂを操作して、照明光の光量を適切な値にして、中心穴の内表面を観察することができる。
【００６２】
照明ランプ１５の電源であるバッテリ１７と照明ランプ１５の光量調節用の制御回路１９ａが対物レンズユニット２に設けられている。ユーザは、手元の接眼レンズユニット４のスイッチ４４ａ、４４ｂを操作すると、光量調節信号が無線である赤外線により対物レンズユニット２の照明光の光量調節を行う制御回路１９ａに伝えられて、照明ランプ１５の光量の調整が可能となる。
【００６３】
よって、対物レンズユニット２、１又は２以上のリレーレンズユニット３及び接眼レンズユニット４が連設されて複数の接点を介してリード線により電源及び照明制御信号がされないので、照明の光量調節用の指示信号が対物レンズユニット２へ確実に伝達される。
上述した実施の形態によれば、CCDカメラなどの撮像装置による画像でなく検査対象の反射光を目で観察でき、照明の光量調節を確実に行うことができかつ所望の長さに調整可能な検査装置を提供することができる。
【００６４】
以下、上述した実施の形態の変形例について説明する。各変形例の検査装置の構成は、上述した実施の形態の検査装置１の構成と略同じであり、同じ構成要素については、同じ符号を付して説明は省略し、上述した実施の形態及び各変形例の検査装置の構成と異なる点のみ説明する。各変形例において、他の変形例と同じ構成要素については、同じ符号を付して説明は省略し、上述した実施の形態及び各変形例の検査装置の構成と異なる点のみ説明する。
（変形例１）
なお、上述した実施の形態の検査装置は、側視タイプであるが、本変形例１の検査装置は、直視タイプであってもよい。
【００６５】
図１０は、本変形例１の検査装置の対物レンズユニットの部分断面図である。図１１は、本変形例１の検査装置の対物レンズユニットの先端側から見た図である。  
対物レンズユニット２Aは、筒体１１Aと、接続管１２Aと、レンズ枠体１４Aとを有する。筒体１１Aは、ステンレスなどの金属製である。筒体１１Aの先端側には凹部１１ｄが形成され、凹部１１ｄには、開口部１１ｂ１が形成されている。
【００６６】
図１１に示すように、凹部１１ｄ内において、開口部１１ｂ１を囲むように、照明部としてのLED１５Aが複数、ここでは３つが等間隔に配設されている。各LED１５Aは、基板１５A１に搭載されて、前方を照明するように、凹部１１ｄ内に配設されている。
【００６７】
筒体１１Aの前側には、ロッドレンズ１６Aが、中心軸が筒体１１Aの中心軸と一致するように配設されている。ロッドレンズ１６Aの先端面は、開口部１１ｂ１に位置して観察窓を構成している。すなわち、対物レンズユニット２Aは、細長形状を有し、細長形状の前方から被検体の像を取得する。
【００６８】
筒体１１Aには、複数の、ここでは３つのバッテリ１７Aを収容する３つの凹部１１ｃ１が形成されている。３つの蓋１８Aが筒体１１Aの先端側に着脱自在に設けられている。各バッテリ１７Aは、各蓋１８Aの開閉により装着及び取り出しが可能となっている。
【００６９】
筒体１１Aの後側の内側には、複数の対物レンズ２１が固定されたレンズ枠体１４Aが設けられている。
【００７０】
筒体１１Aの先端側から入射した被検体からの反射光は、ロッドレンズ１６Aに入射して筒体１１Aの基端方向に進み、複数の対物レンズ２１に入射して、筒体１１Aの基端方向へ出射する。
【００７１】
筒体１１Aの基端側には、複数のフォトダイオード２２が搭載されたリング状の基板２２ａが設けられている。  
３つのバッテリ１７Aが上述したバッテリ１７に相当し、３つのLED１５Aが上述した照明ランプ１５に相当する。
【００７２】
図１０では点線で示す制御基板１９が、複数のフォトダイオード２２と３つのLED１５Aに接続されており、複数のフォトダイオード２２の出力に応じて、３つのLED１５Aのオン・オフ及び光量調整を行う。
（変形例２）
上述した実施の形態及び各変形例では、バッテリは、対物レンズユニット２に内蔵されているが、本変形例では、バッテリは、最先端のリレーレンズユニット３の先端側で保持され、対物レンズユニット内に配置されるように構成されている。
【００７３】
図１２は、本変形例２に係わる検査装置１Aの構成を示す断面図である。  
本変形例２の検査装置１Aでは、最先端のリレーレンズユニット３ａの先端側に、複数の、ここでは２つのバッテリ収容部７１が設けられている。バッテリ収容部７１が設けられたリレーレンズユニット３ａの先端部分は、対物レンズユニット２Bの基端側の凹部２Baに嵌合するように内挿可能な形状を有している。複数のフォトダイオード２２は、リング状の基板２２ａ上に搭載され、筒体１１の基端方向からの赤外光を受光できるように配設されている。
【００７４】
リレーレンズユニット３ａのバッテリ収容部７１の先端側には、電源用及びフォトダイオード２２の出力用の複数の接点７２が設けられている。  
対物レンズユニット２Bの基端側の凹部２Ba内には、複数の接点７３がリング状に配置されたリング状の基板７３ａが設けられている。
【００７５】
リレーレンズユニット３ａの先端部分が対物レンズユニット２Bの基端側の凹部２Baに嵌合したときに、複数の接点７２は複数の接点７３にそれぞれ接触する。  
複数の接点７３は、リード線２０により制御基板１９に接続されている。LED１５ａもリード線２０により制御基板１９と接続されている。よって、制御基板１９は、バッテリ１７からの電源を受けて、フォトダイオード２２とLED１５ａを駆動する。
【００７６】
よって、このような構成においても、バッテリ１７は最先端のリレーレンズユニット３ａ内に設けられるが、対物レンズユニット２B内に配置され、上述した実施の形態と同様の効果を生じる。
なお、後述する変形例７のような構成の場合は、図１２において点線で示すように、フォトダイオード２２を蓋１３に設け、先端方向からの赤外光を受光できるようにしてもよい。
（変形例３）
上述した実施の形態及び各変形例では、電磁波信号として赤外光を用いて光量の調節を行っているが、レーザ光を用いてもよい。
【００７７】
図１３は、本変形例３に係わる対物レンズユニット２Cの部分断面図である。  
対物レンズユニット２Cは、プリズム８１を有し、プリズム８１は、基端側からのレーザ光を半分透過させ、残り半分を反射させるビームスプリッタを有する。
【００７８】
プリズム８１の先端側には、レンズ８２を介してフォトダイオード８３が配設されている。  
ユーザは、接眼レンズユニット側からレーザ光により照明光の調整のための信号を、二点鎖線で示すレーザ出力装置８４から先端側に向けて、検査装置内に出射すると、そのレーザ光は、フォトダイオード８３で受光され、制御基板１９の制御回路１９ａは、受信したレーザ光に基づいて、照明の光量を調整する。  
よって、赤外光に代わって、レーザ光を用いるようにしてもよい。
【００７９】
なお、レーザ出力装置８４がレーザ測距装置であれば、プリズム８１から出射したレーザ光の反射光が、再びプリズム８１で反射して、レーザ出力装置８４に戻る。  
その結果、レーザ出力装置８４は、レーザ光に基づく、被検体までの距離を表示などするので、ユーザは、検査装置の長さを知ることができる。
【００８０】
なお、図１３では、レーザ出力装置８４は、検査装置１とは別の装置であるが、レーザ出力装置８４の測距機能を検査装置１に設けてもよい。
（変形例４）
上述した実施の形態及び各変形例ではLED４７は、接眼レンズユニット内で固定されているが、本変形例４では、照明光の光量を調節するときだけ、LED４７が視野内に位置するようにしてもよい。
【００８１】
図１４は、本変形例４に関わる検査装置の接眼レンズユニット４Aの構成を示す断面図である。図１５は、接眼レンズユニット４Aを基端側から見た図である。  
接眼レンズユニット４Aは、LED４７の可動機構９１が設けられている。可動機構９１は、先端にLED４７が固定された軸部９２と、軸部９２の基端側に設けられたボタン９３と、ボタン９３を付勢する付勢部材としての圧縮バネ９４を有している。
【００８２】
また、接眼レンズユニット４Aは、LED４７用のバッテリ９５のためのバッテリ室９６を有している。バッテリ９５は、バッテリ室９６を覆う蓋９７を開けることにより交換可能となっている。
【００８３】
さらに、図１４に示すように、接眼レンズユニット４Aは、複数の接眼レンズ９８を内蔵するレンズユニット９９を有している。  
図１６は、可動機構９１の部分拡大断面図である。バッテリ９５の２つの端部に電気的に接続されている２つの接片１０１ａと１０１ｂが筒体４１に対して、所定の位置に固定されている。
【００８４】
軸部９２には、所定の位置に２つの接片が１０２ａと１０２ｂが固定されており、２つの接片が１０２ａと１０２ｂは、LED４７にリード線１０３により電気的に接続されている。
【００８５】
ボタン９３が押下されていないときは、圧縮バネ９４のバネ力によりボタン９３は、二点鎖線で示す位置にあり、２つの接片１０１ａと１０１ｂは、２つの接片１０２ａと１０２ｂに接触していない。このとき、LED４７には、リード線１０３からバッテリ９５の電力が供給されない。
【００８６】
ボタン９３が押下されて、軸部９２が二点鎖線で示す位置から実線で示す位置に移動すると、圧縮バネ９４のバネ力に抗してボタン９３は、実線で示す位置にある。このとき、２つの接片１０１ａと１０１ｂが２つの接片１０２ａと１０２ｂに接触するように、２つの接片１０２ａと１０２ｂは軸部９２に配設される。よって、ボタン９３が押下されると、LED４７には、リード線１０３からバッテリ９５の電力が供給されて発光する。
【００８７】
図１５に示すように、ボタン９３が押下されていないときは、接眼レンズ９８を覗いたときの視野外に、LED４７は位置し、ボタン９３が押下されているとき、接眼レンズ９８を覗いたときの視野内に、LED４７は位置する。
以上のように、本変形例では、電磁波信号出力部であるLED４７は、接眼レンズユニット４Aの視野外から視野内へ移動可能である。そのために、接眼レンズユニット４Aに操作部としてのボタン９３が設けられ、ボタン９３を操作することにより、LED４７は、接眼レンズユニット４Aの視野外から視野内へ移動する。
（変形例５）
上述した変形例４では、ボタンを押下することによって、LED４７が視野内に位置するが、本変形例５では、レバーの操作により、LED４７が視野内に位置する。
【００８８】
図１７は、本変形例５に関わる検査装置の接眼レンズユニット４Bの構成を示す斜視図である。図１８は、接眼レンズユニット４Bを基端側から見た図である。  
接眼レンズユニット４Bの筒体４１には、操作レバー１１１が、所定の軸部材１１２回りに回動可能に取り付けられている。軸部材１１２は、操作レバー１１１の表面に設けられた凸部でもよい。
【００８９】
操作レバー１１１は、略くの字形状を有している。操作レバー１１１の略くの字形状の一方には、複数のLED４７が設けられたLED搭載部１１１ａを構成している。筒体４１内には、複数のLED４７のためのバッテリ９５が設けられている。
【００９０】
操作レバー１１１の略くの字形状の他方は、筒体４１の外側に突出するように形成されユーザが操作する操作部１１１ｂを構成する。操作部としての操作部１１１ｂは、図１７に示すように円弧形状を有しており、円筒状の筒体４１には、操作部１１１ｂが通過可能なスリット４１ａが形成されている。  
操作部１１１ｂは、引っ張りバネ１１３の一端が接続されている。引っ張りバネ１１３の他端は、筒体４１の外周部に設けられた固定部１１４に接続されている。操作部１１１ｂは、引っ張りバネ１１３によって、所定の方向に常に引っ張られている。
【００９１】
操作部１１１ｂが引っ張りバネ１１３によって引っ張られている状態において、操作レバー１１１の複数のLED４７が設けられたLED搭載部１１１ａは、図１８に示すように、接眼レンズ９８を覗いたときの視野外に、LED４７は位置している。
【００９２】
操作部１１１ｂが引っ張りバネ１１３の引っ張り力に抗して、矢印Bで示す方向に操作されると、操作レバー１１１が軸部材１１２の軸回りに回動して、LED搭載部１１１ａが、接眼レンズ９８を覗いたときの視野内に位置する。
（変形例６）
上述した実施の形態では、赤外光は、リレーレンズユニット３内を通って、対物レンズユニット２内に設けられたフォトダイオード２２において受光されるが、本変形例６では、赤外光はリレーレンズユニット３の内部を通らず、対物レンズユニット２の外周部に設けられたフォトダイオード２２において受光される。
【００９３】
図１９は、本変形例６に係わる検査装置１Bの構成を示す断面図である。図１９では、リレーレンズユニット３は、二点鎖線で示している。  
本変形例６に係わる検査装置１Bでは、接眼レンズユニット４Cの筒体４１の外側の先端側にLED４７が設けられている。また、フォトダイオード２２は、対物レンズユニット２の外周部に設けられている。
【００９４】
よって、LED４７から出射した赤外光IRは、フォトダイオード２２に直接的に、あるいは被検体の内周面ISで反射して入射する。
以上のように、本変形例６では、電磁波信号を受信する電磁波信号受信部であるフォトダイオード２２は、対物レンズユニット２の外側に設けられ、LED４７から出力されて複数のリレーレンズユニット３の外側を通った電磁波信号を受信する。
（変形例７）
変形例６では、赤外光は、対物レンズユニット２の外周部に設けられたフォトダイオードにおいて受光されるが、本変形例７では、先端が貫通している管路を検査するような場合は、検査対象の内部あるいは外部を通った赤外光を、管路の先端側に設けたミラーによって反射させて、対物レンズユニット２に設けたフォトダイオードによっては、受光する。
【００９５】
図２０は、本変形例７に係わる検査装置１Cの構成を示す断面図である。検査対象は、貫通した管路であり、先端側が開口している。検査装置１Cには、管路OB1内を移動するための移動機構１２１が複数取り付けられている。
【００９６】
各移動機構１２１は、検査装置１Cの管路OB1の軸上に位置させるために、リング形状を有し、検査装置１Cを支持する支持機構と、管路OB1の軸方向に移動可能とさせるための複数のローラを有するセンタリングデバイスである。複数の移動機構１２１が検査装置１Cの軸方向に沿って所定の間隔を持って取り付けられて、検査装置１Cは、管路OB1内に挿通される。各移動機構１２１は、複数のリレーレンズユニット３を検査対象に対して支持する支持装置である。
【００９７】
赤外光は、ユーザが操作する赤外光出射装置１２２から出射される。赤外光出射装置１２２は、赤外光を出射するLEDを有している。赤外光出射装置１２２には、照明光の光量を増減するためのスイッチ４４ａ又は４４ｂ（図示せず）が設けられている。フォトダイオード２２は、対物レンズユニット２Eの先端面に設けられている。
【００９８】
管路OB1の先端側に、２つのミラー１２３ａ、１２３ｂを有する反射装置１２３が設置されている。反射装置１２３は、管路OB1の基端側からの光を反射させて、管路OB1の軸方向に沿って管路OB1の先端側から基端側に向かうように、２つのミラー１２３ａ及び１２３ｂの反射面１２２ａ１及び１２３ｂ１は配置されている。
【００９９】
検査者であるユーザが、赤外光出射装置１２２を操作して、管路OB1の基端側から反射装置１２３に向けて赤外光を出射すると、フォトダイオード２２は、赤外光を受光することができる。  
すなわち、フォトダイオード２２は、対物レンズユニット２Eの先端側に設けられたミラーによって反射された赤外光を受信するように対物レンズユニット２Eの外側に設けられている。そして、LED４７からの赤外光は、複数のリレーレンズユニット３を支持する支持装置である複数の移動機構１２１を介してフォトダイオード２２で受信される。
よって、ユーザは、赤外光出射装置１２２を操作して、対物レンズユニット２の照明部の照明光の光量を増減することができる。
【０１００】
なお、赤外光が管路OB1内を通るようにしてもよい。図２０において、点線で示すように、赤外光が管路OB1の基端側から先端側へ通過可能なように各移動機構１２１に隙間１２１ａを設け、ユーザが管路OB1の基端側から管路OB1内に向けて赤外光出射装置１２２から赤外光を出射する。
【０１０１】
２つのミラー１２３ａ及び１２３ｂの反射面１２３ａ１と１２３ｂ１は、各移動機構１２１の隙間１２１ａからの赤外光を反射させて、管路OB1の軸方向に沿って管路OB1の先端側から基端側に向かうように、点線で示すように、２つのミラー１２３ａ及び１２３ｂの反射面１２３ａ１及び１２３ｂ１が配置される。  
このような構成によっても、赤外光を検査装置１C内を通さないで、赤外光出射装置１２２を操作して、対物レンズユニット２Eの照明部の照明光の光量を増減することができる。
【０１０２】
さらになお、管路OB1の先端側に反射装置１２３が設置できないような場合は、フォトダイオード２２を移動機構１２１の隙間１２１ａからの赤外光を受光できる位置に配置してもよい。その場合、図２０では、フォトダイオード２２は、二点鎖線で示すように、対物レンズユニット２Eの側面の、隙間１２１ａからの赤外光を受光できる位置に配置される。すなわち、電磁波信号である赤外光は、支持装置である複数の移動機構１２１に形成された隙間１２１ａを通ってフォトダイオード２２で受信される。
なお、先端側が開放の被検体では、手元側から光量を変えることができるだけではなく、複数人で検査する場合は、検査対象を観察する者以外の者が、赤外光出射装置１２２の赤外光を被検体の先端側からフォトダイオード２２へ当てて、光量を変化させても良い。
（変形例８）
上述した変形例７では、赤外光を管路内に通す場合に、移動機構１２１の隙間１２１ａ内を赤外光が通るが、本変形例８では、各移動機構に受光部と発光部を設けて、赤外光の受光と出射を繰り返すようにして赤外光を対物レンズユニット２Eのフォトダイオード２２に照射するようにしてもよい。
【０１０３】
図２１は、本変形例８に係わる検査装置１Dの構成を示す断面図である。検査対象は、貫通した管路であり、検査装置１Dには、管路OB1内を移動するための移動機構１２１が複数取り付けられている。
【０１０４】
各移動機構１２１は、赤外光を受光する光センサとしてのフォトダイオード１３１と、赤外光を出射する発光部としてのLED１３２とを有する。各移動機構１２１は、フォトダイオード１３１及びLED１３２を動作させるためのバッテリ１３３を有している。各移動機構１２１は、フォトダイオード１３１が赤外光を受光すると、フォトダイオード１３１で受光した赤外光信号と同じ赤外光を発光部１３２から出射するようにフォトダイオード１３１及び発光部１３２を制御する制御部（図示せず）を有している。
【０１０５】
検査装置１Dの隣り合う２つの移動機構１２１の発光部１３２からの赤外光がフォトダイオード１３１に入射するように、２以上のリレーレンズユニット３は連結され、かつ先端の移動機構１２１のLED１３２からの赤外光がフォトダイオード２２に入射するように、対物レンズユニット２Fと先端のリレーレンズユニット３は連結される。
【０１０６】
ユーザは、赤外光出射装置１２２を操作して、管路OB1の基端側から最基端の移動機構１２１のフォトダイオード１３１に向けて赤外光を出射すると、各移動機構１２１のフォトダイオード１３１が赤外光を受光し、発光部１３２から赤外光を出射する。最終的には、対物レンズユニット２Fのフォトダイオード２２が、赤外光出射装置１２２から出射された赤外光と同じ信号パターンの赤外光を受ける。  
以上のように、支持装置である各移動機構１２１は、電源としてのバッテリ１３３を有し、電磁波信号である赤外光は、最基端の移動機構１２１において受信され、各移動機構１２１は、受信した赤外光に基づいて、受信した赤外光と同じ赤外光を生成して出力する。
よって、ユーザは、赤外光出射装置１２２を操作して、対物レンズユニット２Fの照明部の照明光の光量を増減することができる。
【０１０７】
なお、ここでは、ユーザは赤外光出射装置１２２を操作して赤外光の照明制御信号を対物レンズユニット２Fへ送出しているが、図１９に示したように、接眼レンズユニット４Cの筒体４１の外側の先端側に発光部としてのLED４７を設けるようにしてもよい。その場合、接眼レンズユニット４CのLED４７からの赤外光が最基端の移動機構１２１のフォトダイオード１３１に入射するように、接眼レンズユニット４Cと最基端のリレーレンズユニット３は連結される。
（変形例９）
図２１では、検査装置１Dの外側で移動機構において赤外光の受光と出射を行うようにして、対物レンズユニット２Fのフォトダイオード２２に照射しているが、本変形例９は、赤外光が検査装置内で受光と出射を行うように対物レンズユニット２のフォトダイオード２２に照射を行う。
【０１０８】
図２２は、赤外光が検査装置内を通るようにした場合の検査装置１Eの構成を示す断面図である。なお、図２２では、検査装置１Eの対物レンズユニット２Gと、最先端のリレーレンズユニット３Aのみが図示されている。
【０１０９】
検査装置１Eの対物レンズユニット２Gは、基端側にリング状に配設された複数のフォトダイオード２２を有している。  
各リレーレンズユニット３Aは、基端部に複数のフォトダイオード１４１を有し、先端部の内側に複数のLED１４２を有している。複数のフォトダイオード１４１は、リング状の基板１４１ａ上に搭載され、基端側からの赤外光を受光するように、リレーレンズユニット３Aの接続管３４に固定されている。複数のLED１４２は、リング状の基板１４２ａ上に搭載され、先端側へ赤外光を出射するように、リレーレンズユニット３Aの接続管３３に固定されている。
【０１１０】
各リレーレンズユニット３Aは、フォトダイオード１４１が赤外光を受光すると、フォトダイオード１４１で受光した赤外光信号と同じ赤外光をLED部１４２から出射するようにフォトダイオード１４１及びLED１４２を制御する制御部（図示せず）を有している。
【０１１１】
リレーレンズユニット３Aの接続管３３の内側には、複数のバッテリ１４３を収容する複数のバッテリ収容部１４３ａを有している。各バッテリ１４３は、バッテリ収容部１４３ａに収容されている。各バッテリ１４３は、基板１４２ａの接点に接して各LED１４２へ電源を供給する。
【０１１２】
さらに各レンズ枠３３ａ、３３ｂ（図示せず）、３３ｃにも配線（図示せず）が設けられている。図示しない制御部との信号及び電源の供給のためのリード線１４３ｂが、各リレーレンズユニット３A内に配設されている。リード線１４３ｂが各リレーレンズユニット３A内で弛まないように、前側筒体３２ａと後側筒体３２ｂのそれぞれの内側には、内筒体３２ｃ１、３２ｃ２が配設され、各リード線１４３ｂは、前側筒体３２ａと内筒体３２ｃ１の間、及び後側筒体３２ｂと内筒体３２ｃ２の間に配設されている。
すなわち、電磁波信号受信部である複数のフォトダイオード２２が、対物レンズユニット２Gの内側に設けられ、赤外光を受信する。各リレーレンズユニット３Aは、電源としてのバッテリ１４３を有し、受信した赤外光に基づいて、受信した赤外光と同じ電磁波信号を生成して出力する。
【０１１３】
よって、ユーザは、接眼レンズユニット４の２つのスイッチ４４ａと４４ｂ、あるいは赤外光出射装置１２２を操作して、照明光の光量調整信号を出力すると、基端側から出射された赤外光は、接眼レンズユニット４からリレーレンズユニット３Aの各フォトダイオード１４１で受光され、受光した赤外光と同じ信号の赤外光をLED１４２から出射する。よって、検査装置１E内で赤外光の受光と出射を行うようにして、対物レンズユニット２Gのフォトダイオード２２に照射を行い、光量の調整を行うことができる。
（変形例１０）
変形例９では、各リレーレンズユニット３Aが複数のフォトダイオード１４１、複数のLED１４２及び複数のバッテリ１４３を有し、各リレーレンズユニット３Aにおいて赤外光の受光と出射を行うようにして、対物レンズユニット２Gのフォトダイオード２２に照射しているが、本変形例１０は、各リレーレンズユニットが光ファイバを有して、赤外光の受光と出射を行うようにした。
【０１１４】
図２３は、赤外光が検査装置内を通るようにした場合の検査装置１Fの構成を示す断面図である。なお、図２３では、検査装置１Fの対物レンズユニット２Hと、最先端のリレーレンズユニット３Bのみが図示されている。
【０１１５】
検査装置１Fの対物レンズユニット２Hは、基端側に光コネクタ１５１を有しており、光コネクタ１５１の出力は、図示しない光電変換素子を介して、制御基板１９に信号が供給される。
【０１１６】
各リレーレンズユニット３Bは、基端部と先端部にそれぞれ光コネクタ１５２と１５３を有している。光コネクタ１５２は、リレーレンズユニット３Bの基端部に設けられたリング状の基板１５２ａ上に搭載される。光コネクタ１５３は、リレーレンズユニット３Bの先端部に設けられたリング状の基板１５３ａ上に搭載される。
【０１１７】
光コネクタ１５２と１５３の間には、光ファイバ１５４が設けられており、光ファイバ１５４は、光コネクタ１５２に入射した赤外光を透過して光コネクタ１５３に出射する。光ファイバ１５４は、各レンズ枠３３ａ、３３ｂ、３３ｃに設けられた孔あるいは溝内を通るように配設されている。
【０１１８】
各リレーレンズユニット３B内には、光ファイバ１５４が各リレーレンズユニット３B内で弛まないように、前側筒体３２ａと後側筒体３２ｂと接続管３４のそれぞれの内側には、内筒体１５５が配設され、光ファイバ１５４は、前側筒体３２ａと内筒体１５５の間、及び後側筒体３２ｂと内筒体１５５の間、及び接続管３４と内筒体１５５の間に配設されている。
【０１１９】
光コネクタ１５２は、リレーレンズユニット３Bの基端側に接続される他のリレーレンズユニット３Bの光コネクタ１５３とも接続可能なようにリレーレンズユニット３Bに配設されている。
【０１２０】
対物レンズユニット２Hが最先端のリレーレンズユニット３Bの先端部に取り付けられたとき、最先端のリレーレンズユニット３Bの光コネクタ１５３が対物レンズユニット２Hの光コネクタ１５１と接続されるように、光コネクタ１５１は、対物レンズユニット２Cに配設されて固定されている。
【０１２１】
図示しない接眼レンズユニット４に設けられたLED４７からの赤外光は、最基端のリレーレンズユニット３Bの光コネクタ１５２に向けて出射するように、接眼レンズユニット４は、最基端のリレーレンズユニット３Bに取り付けられる。
以上のように、フォトダイオード２２が、対物レンズユニット２Hの内側に設けられ、光コネクタ１５１に接続され、各リレーレンズユニット３Bは、受信した赤外光を光ファイバ１５４を介して出射する。
【０１２２】
よって、ユーザは、接眼レンズユニット４の２つのスイッチ４４ａと４４ｂ、あるいは赤外光出射装置１２２を操作して、照明光の光量調整信号を出力すると、基端側から出射された赤外光は、接眼レンズユニット４からリレーレンズユニット３Bの光コネクタ１５２で受光され、受光した赤外光は、光ファイバ１５４を通って、光コネクタ１５３から出射する。複数のリレーレンズユニット３Bが連設されたときにも、赤外線は、各リレーレンズユニット３B内の光ファイバ１５４を通って、対物レンズユニット２の光コネクタ１５１に入射され、光量の調整を行うことができる。
（変形例１１）
変形例１０では、各リレーレンズユニット３Bが光ファイバ１５４を有して、赤外光の受光と出射を行うようにしているが、本変形例１１は、各リレーレンズユニット３Aが赤外光を通す隙間を内部に有して、赤外光を透過させるようにした。
【０１２３】
図２４は、赤外光が検査装置内を通るようにした場合の検査装置１Gの構成を示す断面図である。図２５は、図２４のXXV-XXV線に沿った断面図である。なお、図２４では、検査装置１Gの対物レンズユニット２Iと、最先端のリレーレンズユニット３Cのみが図示されている。
【０１２４】
各リレーレンズユニット３Cの先端部は、対物レンズユニット２Iの基端部に嵌合するように外挿可能に形成されている。  
また、複数のリレーレンズユニット３Cが連設可能なように、各リレーレンズユニット３Cの先端部は、他のリレーレンズユニット３Cの基端部にも嵌合するように外挿可能に形成されている。
【０１２５】
各リレーレンズユニット３Cは、外筒１６１と、内筒１６２を有して構成されている。外筒１６１と内筒１６２の間には、隙間１６３が形成されるように、複数のスペーサ１６４が設けられている。各スペーサ１６４は、外筒１６１の外周から螺子１６５によって、外筒１６１と内筒１６２に対して固定される。
【０１２６】
リレーレンズ３１ａ、３１ｂ、３１ｃは、筒状のスペーサ１６６ａ，１６６ｂ、１６６ｃ、１６６ｄにより内筒１６２に対して固定されている。図２４に示すように、リレーレンズ３１ａは、スペーサ１６６ａと１６６ｂに挟持され、リレーレンズ３１ｂは、スペーサ１６６ｂと１６６ｃに挟持され、リレーレンズ３１ｃは、スペーサ１６６ｃと１６６ｄに挟持されて内筒１６２に対して固定されるように、スペーサ１６６ａ，１６６ｂ、１６６ｃ、１６６ｄは、内筒１６２に対して接着剤などの固定手段により固定されている。
以上のように、各リレーレンズユニット３Cは、外筒部材である外筒１６１と、外筒１６１の内側に設けられた内筒部材である内筒１６２とを有し、フォトダイオード２２は、LED４７から出射され、外筒１６１と内筒１６２の間に形成された隙間１６３を通った赤外光を受信する。
【０１２７】
よって、ユーザは、接眼レンズユニット４の２つのスイッチ４４ａと４４ｂを操作して、照明光の光量調整信号を出力すると、基端側から出射された赤外光は、接眼レンズユニット４から各リレーレンズユニット３Cの隙間１６３を通って、最先端のリレーレンズユニット３Cから出射して、対物レンズユニット２Iのフォトダイオード２２に入射され、光量の調整を行うことができる。
【０１２８】
（変形例１２）
変形例１２は、対物光学系及び接眼光学系のそれぞれの近傍に、赤外反射ミラーが配置された検査装置に関する。
図２６は、本変形例１２に係わる検査装置の構成を示す断面図である。
なお、本変形例１２に係わる検査装置１Xの構成は、上述した実施の形態の検査装置１と同様の構成であるため、検査装置１と同じ構成要素については、同じ符号を付して説明は省略し、異なる構成についてのみ説明する。
検査装置１の対物レンズユニット２Xには、図２６に示すように、赤外反射ミラー２１１が、レンズ枠体でもあるミラー保持部材１４Xに設けられている。赤外反射ミラー２１１は、赤外光は反射するが、可視光は透過する可視光透過ミラーである。赤外反射ミラー２１１は、接眼レンズユニット２Xからの光の光軸に対して４５度傾けて配置される。ミラー保持部材１４Xは、接続管１２Xの基端側から挿入されて固定される。
【０１２９】
フォトダイオード２２は、フレキシブル基板２２Xに搭載されている。フレキシブル基板２２Xは、フォトダイオード２２の受光面が赤外反射ミラー２１１に向くように、フォトダイオード保持部である保持枠１４Yに固定されている。保持枠１４Yは、接続管１２Xに固定されている。
フレキシブル基板２２Xは、薄く細長い形状を有して、フォトダイオード２２の位置から、ミラー保持部材１４Xの外周面に沿って、ミラー保持部材１４Xの先端側まで延出している。フレキシブル基板２２Xは、先端部において、図示しないリード線により、基板１９と電気的に接続されており、基板１９は、フォトダイオード２２の出力信号を受信可能に構成されている。
【０１３０】
一方、接眼レンズユニット４X内には、赤外反射ミラー２１２が、筒状のミラー保持部材１４Zに設けられている。赤外反射ミラー２１２は、赤外反射ミラー２１１と同様に、赤外光は反射するが、可視光は透過する可視光透過ミラーである。赤外反射ミラー２１２は、接眼レンズユニット４Xの光軸に対して４５度傾けて配置される。ミラー保持部材１４Zは、筒体４１Xの先端側から挿入されて固定される。
筒体４１Xには、ユーザが操作可能な操作スイッチ４４Xが設けられている。また、筒体４１Xの内側には、基板５１Xに搭載されたLED４７が、LED４７からの赤外光が赤外反射ミラー２１２に向くように、筒体４１Xに固定されている。操作スイッチ４４X及びLED４７は、図示しなリード線により、制御基板４８に接続されている。
なお、ここでは、操作スイッチ４４Xは、１つしか示していないが、上述したように、２つのスイッチ（４４ａ、４４ｂ）を有している。
検査対象の反射光は、赤外反射ミラー２１１、リレーレンズユニット３のリレーレンズ、及び赤外反射ミラー２１２を通るので、ユーザは、接眼レンズユニット４Xの接眼レンズ４２を覗くと検査対象を観察することができる。
【０１３１】
また、ユーザがスイッチ４４Xを操作すると、LED４７から赤外光が出射されて、赤外反射ミラー２１２で反射して、リレーレンズユニット３に出射される。対物レンズユニット２Xでは、リレーレンズユニット３からの赤外光は、赤外反射ミラー２１１で反射されて、フォトダイオード２２Xで受光される。フォトダイオード２２Xで受光した光に応じた検出信号が制御基板１９に出力されるので、ランプ１５の光量は、制御可能となる。
よって、本変形例１２の構成によっても、ユーザは、接眼レンズユニット４Xのスイッチ４４Xを操作して、照明光の光量調整信号を出力すると、基端側から出射された赤外光は、接眼レンズユニット４Xから各リレーレンズユニット３を通って、対物レンズユニット２Xのフォトダイオード２２Xに入射され、光量の調整を行うことができる。
（第２の実施の形態）
上述した第１の実施の形態では、照明光の光量を制御する光量調節信号は、接眼レンズユニットから出射されているが、本実施の形態では、対物レンズユニットに設けられたセンサの検出信号に基づいて光量が制御される。
【０１３２】
本実施の形態では、加速度センサが利用されている。  
本実施の形態の検査装置１Hの構成は、上述した実施の形態及び各変形例の検査装置の構成と略同じであり、同じ構成要素については、同じ符号を付して説明は省略し、上述した実施の形態及び各変形例の検査装置の構成と異なる点のみ説明する。
【０１３３】
図２７は、赤外光が検査装置内を通るようにした場合の検査装置１Hの構成を示す断面図である。図２８は、対物レンズユニット２Jの基板２２ｂの斜視図である。  
接眼レンズユニット４Dには、操作スイッチ４４が設けられている。操作スイッチ４４の操作信号は、接眼レンズユニット４D内の制御基板４８に入力される。
操作スイッチ４４は、照明光の照射開始を指示するための操作器である。操作スイッチ４４が操作されると、制御基板４８に接続されたLED４７が発光する。  
操作スイッチ４４が押下されると、制御回路４８ａは対物レンズユニット２J内の照明ランプ１５（図示せず）を点灯させるパルス信号を生成して、LED４７に供給する。LED４７は、そのパルス信号に応じた赤外光IRを出射する。赤外光は、接続用口金４３の先端方向へ出射される。
【０１３４】
対物レンズユニット２Jの基端側には、複数のフォトダイオード２２がリング状に搭載されたリング状の基板２２ｂが設けられており、リレーレンズユニット３D側からの赤外光を受光できるように配設されている。
図２８に示すように、基板２２ｂの片面には、複数のフォトダイオード２２が、搭載されると共に、３つの加速度センサ１７１も搭載されている。  
３つの加速度センサ１７１は、それぞれ、互いに直交するｘ、ｙ、ｚ方向の加速度を検出するように配置される。ここでは、ｘとｙ方向は、基板２２ｂの平面内における互いに直交する方向である。ｚ方向は、基板２２ｂの平面に直交する方向、すなわち検査装置１Hの軸方向である。すなわち、本実施の形態では、加速度センサ１７１は、物理量として、加速度の信号を検出する。
【０１３５】
複数のフォトダイオード２２の出力信号及び３つの加速度センサ１７１の出力信号は、対物レンズユニット２内の制御基板１９に入力される。  
対物レンズユニット２Ｊ、複数のリレーレンズユニット３D及び接眼レンズユニット４Dが連結されて、検査装置１Hが組み立てられると、検査装置１Hは一体となる。そのため、ユーザが検査装置１Hの基端側を把持して、検査装置１Hの軸回りに回動させると、先端側の対物レンズユニット２Jも共に回動する。
制御基板１９の制御回路１９ａは、複数のフォトダイオード２２の出力信号を受けると照明ランプ１５を点灯する。さらに、その制御回路１９ａは、３つの加速度センサ１７１の出力信号に応じて、照明ランプ１５の光量を調整する。すなわち、操作スイッチ４４は、照明光量の調整を開始することを指示するためのスイッチである。
制御回路１９ａは、所定の加速度信号を検出すると、照明ランプ１５の光量を増加させるランプ駆動信号を照明ランプ１５へ出力し、別の所定の加速度信号を検出すると、照明ランプ１５の光量を減少させるランプ駆動信号を照明ランプ１５へ出力する。
【０１３６】
ここでは、検査装置１Hの軸回りにおいて右回りに回動されると、制御回路１９ａが右回りの加速度信号を検知すると、照明ランプ１５の光量を増加させるランプ駆動信号を照明ランプ１５へ出力し、制御回路１９ａが左回りの加速度信号を検知すると、照明ランプ１５の光量を減少させるランプ駆動信号を照明ランプ１５へ出力する。
【０１３７】
すなわち、ユーザは、検査装置１Hを右回りに回動させると、照明ランプ１５の光量が１段階アップする。さらに、ユーザが検査装置１Hを右回りに回動させると、照明ランプ１５の光量が１段階アップし、結果として照明ランプ１５の光量は最初よりも、２段階アップした光量となる。
【０１３８】
逆に、ユーザは、検査装置１Hを左回りに回動させると、照明ランプ１５の光量が１段階ダウンする。さらに、ユーザが検査装置１Hを左回りに回動させると、照明ランプ１５の光量が１段階ダウンし、結果として照明ランプ１５の光量は最初よりも、２段階ダウンした光量となる。
【０１３９】
よって、ユーザは、検査装置１Hの右回りと左回りの操作を行うことにより、照明ランプ１５の光量を所望の光量にすることができる。  
図２９は、検査装置１Hの回動に伴う加速度センサ１７１のXYZ方向における加速度と、光量の増減を示すタイミングチャートである。
【０１４０】
加速度センサ１７１のｘとｙ方向における出力信号が所定の閾値（TH1）以上であると、制御回路１９ａは右方向への回動があったとして、照明ランプ１５の光量を１段階分だけ増加させるランプ駆動信号を照明ランプ１５へ出力する。加速度センサ１７１のｘとｙ方向における出力信号が所定の閾値（−TH1）以下であると、制御回路１９ａは左方向への回動があったとして、照明ランプ１５の光量を１段階分だけ減少させるランプ駆動信号を照明ランプ１５へ出力する。
【０１４１】
本実施の形態においても、例えば、制御回路１９ａは、カウンタを有し、カウンタには、照明ランプ１５の光量に応じたカウンタ値が設定される。制御回路１９ａは、検査装置１Hの回動方向に応じて、カウンタ値を増減させて、カウンタ値に応じたランプ駆動信号を生成して照明ランプ１５へ出力する。
【０１４２】
よって、制御基板１９は、対物レンズユニット２に設けられ、対物レンズユニット２に設けられたセンサである複数の加速度センサ１７１で検知された物理量信号である加速度信号に応じて、照明部の照明光の光量を調節する照明調節部を構成する。
【０１４３】
図２９では、T1期間において、右回りが検出され、その結果、照明ランプ１５は光量が増加する。T2期間において、左回りが検出され、その結果、照明ランプ１５の光量が減少する。
【０１４４】
T3期間では、Z方向の加速度が検出されているが右回りでも左回りでもないので、照明ランプ１５の光量は変化しない。  
よって、本実施の形態によれば、ユーザは、赤外光を用いずに、光量の調整を行うことができる。
また、加速度センサ１７１の出力をモニタすれば、その出力の情報を確認することで、対物レンズユニット２Jの向きすなわち検査装置の先端の向きがどちらで、被検体内のどこまで挿入されたかも確認することができる。加速度センサ１７１本来の機能である位置を検知することができるとともに、照明光の光量の調整も同時に行うことができる。
【０１４５】
なお、上述した例では、照明ランプ１５のオン・オフに赤外光を利用しているが、加速度信号に基づいて、照明ランプ１５のオン・オフ制御も行うようにしてもよい。例えば、３つの加速度信号の出力パターンが、所定のパターン、例えば非常に短い時間内における大きな右回動があると、照明ランプ１５をオンし、さらに照明ランプ１５が点灯しているときに、同じ所定のパターンの３つの加速度信号の出力パターンが検知されると、照明ランプ１５をオフするようにしてもよい。
さらに、加速度センサ１７１を先端側のみではなく、手元側の接眼レンズユニット４D付近にも配置し、先端側と手元側の加速度センサの情報を比較することにより、リレーレンズユニット３D間の連結部、リレーレンズユニット３Dと対物レンズユニット２J間の連結部、あるいはリレーレンズユニット３Dと接眼レンズユニット４D間の連結部の緩み、ズレを確認することも可能となる。
上述した実施の形態によれば、CCDカメラなどの撮像装置による画像でなく検査対象の反射光を目で観察でき、照明の光量調節を確実に行うことができかつ所望の長さに調整可能な検査装置を提供することができる。
【０１４６】
以下、上述した第２の実施の形態の変形例について説明する。各変形例の検査装置の構成は、上述した実施の形態の検査装置１の構成と略同じであり、同じ構成要素については、同じ符号を付して説明は省略し、上述した実施の形態あるいは各変形例の検査装置の構成と異なる点のみ説明する。各変形例において、他の変形例と同じ構成要素については、同じ符号を付して説明は省略し、上述した実施の形態及び各変形例の検査装置の構成と異なる点のみ説明する。
（変形例１）
上述した第２の実施の形態では、照明ランプ１５の光量調整のために加速度信号を利用しているが、本変形例１では、圧力を利用している。すなわち、本変形例１では、物理量として、圧力の信号を検出する圧力センサを利用している。
【０１４７】
図３０は、空気が検査装置内を通るようにした場合の検査装置１Iの構成を示す断面図である。図３１は、図３０のXXXI-XXXI線に沿った検査装置１Iの断面図である。  
対物レンズユニット２Kの基端側には、複数のフォトダイオード２２と複数の圧力センサ１８１がリング状に搭載されたリング状の基板１８１ａが設けられており、各圧力センサ１８１の出力は制御基板１９に入力され、制御回路１９ａが、検査装置１I内の空気圧を検出できるように配設されている。
【０１４８】
複数のリレーレンズユニット３Eが連設されており、図３０では、２つのリレーレンズユニット３Eが接続されている状態が示されている。  
外筒１６１と内筒１６２は、スペーサ１６４を介して螺子１６５で固定されている。２つのリレーレンズユニット３E間には、接続口金１８２が螺子１６５ａにより固定されている。
【０１４９】
図３１に示すように、接続口金１８２は、筒状であり、軸方向に沿って複数の孔１８３が形成されている。  
複数のリレーレンズユニット３Eが連結されたとき、少なくとも１つの接続口金１８２が介装される。
【０１５０】
接眼レンズユニット４Eには、ポンプ１８４がコネクタ１８５を介して接続されている。ポンプ１８４とコネクタ１８５は、チューブ１８６により接続されており、チューブ１８６の途中には、スイッチ１８７が設けられている。ユーザは、スイッチ１８７を押下すると、内部のバルブが開いてポンプ１８４からの空気が空いて、接続用口金４３内に空気が供給される。
【０１５１】
操作スイッチ４４は、照明光の照射開始を指示するための操作器である。操作スイッチ４４が操作されると、制御基板４８の制御回路４８ａに接続されたLED４７が発光する。
【０１５２】
操作スイッチ４４が押下されると、制御回路４８ａは対物レンズユニット２内の照明ランプ１５（図示せず）を点灯させるパルス信号を生成して、LED４７に供給する。LED４７は、そのパルス信号に応じた赤外光を出射する。赤外光は、接続用口金４３の先端方向へ出射される。
【０１５３】
基板１８１ａの片面には、複数のフォトダイオード２２が、搭載されると共に、圧力センサ１８１も搭載されている。  
複数のフォトダイオード２２の出力信号及び圧力センサ１８１の出力信号は、対物レンズユニット２K内の制御基板１９に入力される。
【０１５４】
対物レンズユニット２K、複数のリレーレンズユニット３E及び接眼レンズユニット４E連結されて、検査装置１Iが組み立てられると、検査装置１Iは一体となる。そのため、ユーザがスイッチ１８７を操作すると、検査装置１I内の外筒１６１と内筒１６２の間の隙間１６３内の圧力が高まる。圧力上昇の結果、圧力センサ１８１は、上昇した圧力に対応する出力信号を出力する、
制御基板１９の制御回路１９ａは、複数のフォトダイオード２２の出力信号を受けると照明ランプ１５を点灯する。さらに、その制御回路１９ａは、圧力センサ１８１の出力パターンに応じて、照明ランプ１５の光量を調整する。
【０１５５】
例えば、スイッチ１８７を短い周期でオン・オフを繰り返すと、制御回路１９ａは、圧力の上下が所定期間内に変化することを検知すると、照明ランプ１５の光量を増加させるランプ駆動信号を照明ランプ１５へ出力し、圧力の上下が所定期間内に変化しないときには、照明ランプ１５の光量を減少させるランプ駆動信号を照明ランプ１５へ出力する。
【０１５６】
よって、ユーザは、スイッチ１８７の操作を行うことにより、照明ランプ１５の光量を所望の光量にすることができる。  
本変形例によれば、ユーザは、赤外光を用いずに、光量の調整を行うことができる。
【０１５７】
なお、上述した例では、照明ランプ１５のオン・オフに赤外光を利用しているが、圧力に基づいて、照明ランプ１５のオン・オフ制御も行うようにしてもよい。例えば、圧力センサの圧力変化のパターンが、所定のパターン、例えば非常に長い時間の高い圧力状態があると、照明ランプ１５をオンし、さらに照明ランプ１５が点灯しているときに、同じ所定のパターンが検知されると、照明ランプ１５をオフするようにしてもよい。
また、圧力センサを内部に設けることで、内部の圧力を検知して、エアの漏れを確認することで、連結部の緩み等の確認も可能となる。
（変形例２）
上述した変形例１では、圧力の伝達により、対物レンズユニット２の光量調整を行っているが、本変形例２では、音により対物レンズユニット２の光量調整を行う。すなわち、本変形例１では、物理量として、音の信号を検出するマイクロフォンを利用している。
【０１５８】
ここでは、対物レンズユニットの構成のみを説明する。  
図３２は、対物レンズユニット２Lの構成を示す断面図である。
【０１５９】
対物レンズユニット２Lの側面及び先端面に、それぞれマイクロフォン１９１と１９２が設けられている。  
マイクロフォン１９１と１９２は、制御基板１９に接続されている。
【０１６０】
ユーザは、所定の音を発する発音装置（図示せず）を操作して、複数種類の音を出力することができる。  
音の複数の種類は、音の大きさ、音の長さ、所定期間内における音の発生の回数、音の周波数、及びこれらの組合せ等々により規定され、マイクロフォン１９１と１９２の出力信号から、制御基板１９において検出可能なものであれば、どのようなものでもよい。
【０１６１】
ユーザが、発音装置を操作して、照明のオン、オフ、光量の増加あるいは減少に対応する音を出力すると、マイクロフォン１９１と１９２に音が伝わり、制御基板１９の制御回路１９ａにおいて音の種類を判定し、その判定結果に応じて、照明のオン、オフ、光量の増加あるいは減少を行う。
【０１６２】
なお、変形例１で示したポンプを利用して、対物レンズユニットまで高い圧力の空気を送り、その空気によって音を発生させて、その発生した音を、マイクロフォンにより検出するようにしてもよい。
【０１６３】
図３３は、対物レンズユニット２Mの構成を示す断面図である。  
対物レンズユニット２Mには、ポンプ１８４からの空気を導入する管路１９３を有し、管路１９３の開口部には、空気振動により音を発する発音部材１９４が設けられている。
【０１６４】
発音部材１９４は、凹部１１ａに設けられ、同様に、マイクロフォン１９５も、凹部１１ａに設けられている。マイクロフォン１９５は制御基板１９に接続されている。  
ポンプ１８４から吐出される空気の吐出パターンによって、音の種類を付けることができる。
【０１６５】
このような構成によっても、図３２と同様に、ユーザは、スイッチ１８７を操作して、照明のオン、オフ、光量の増加あるいは減少に対応する音を出力すると、マイクロフォン１９５に音が伝わり、制御基板１９の制御回路１９ａにおいて音の種類を判定し、その判定結果に応じて、照明のオン、オフ、光量の増加あるいは減少を行うことができる。
【０１６６】
以上のように、上述した各実施の形態によれば、CCDカメラなどの撮像装置による画像でなく検査対象の反射光を目で観察でき、照明の光量調節を確実に行うことができかつ所望の長さに調整可能な検査装置を提供することができる。
【０１６７】
なお、上述した各実施の形態及び各変形例では、対物レンズユニットがバッテリを内蔵しているが、そのバッテリ残量が少なくなってくると、ユーザにバッテリ残量が少ないことを知らしめるようにしてもよい。
【０１６８】
図３４は、バッテリ残量が少ないことを知らしめる対物レンズユニット２Gの部分断面図である。図３５は、複数のフォトダイオード２２と複数のLEDが搭載されたリング状の基板２２ｃの斜視図である。    
対物レンズユニット２Nの基板２２ｃには、複数のフォトダイオード２２と共に、複数の、ここでは３つのLED２０１も搭載されている。各LED２０１の光の出射方向が、点線で示すようにリング状の基板２２ａの中心に向かうようには、各LED２０１は、基板２２ａ上に搭載される。
【０１６９】
制御基板１９は、バッテリ１７のバッテリ残量を監視し、所定の閾値以下になると、各LED２０１を点滅させる。LED２０１の光は、ユーザの内視鏡画像の光路中に出射されるので、ユーザは、バッテリ１７の残量が少ないことを認識することができる。  
なお、複数のLED２０１の色を異なるようにして、残量に応じた色のLED２０１を発光させるようにしてもよい。
以上のように、対物レンズユニット２Gは、バッテリ１７の消耗状態を、光の変化により示す。
【０１７０】
上述した各実施の形態及び各変形例によれば、CCDカメラなどの撮像装置による画像でなく検査対象の反射光を目で観察でき、照明の光量調節を確実に行うことができかつ所望の長さに調整可能な検査装置を提供することができる。
【０１７１】
本発明は、上述した実施の形態に限定されるものではなく、本発明の要旨を変えない範囲において、種々の変更、改変等が可能である。
【符号の説明】
【０１７２】
１、１A、１B、１C、１D、１E、１F、１G、１H、１I  検査装置、２、２A、２B  対物レンズユニット、２Ba  凹部、２C、２D、２E、２F、２G、２H、２I、２J、２K、２L、２M、２N、２Ｊ、２X  対物レンズユニット、２ａ  接点、３、３A、３B、３C、３D、３E、ａ  リレーレンズユニット、４、４A、４B、４C、４D、４E  接眼レンズユニット、１１、１１A  筒体、１１ａ  凹部、１１ｂ、１１ｂ１  開口部、１１ｃ、１１ｃ１、１１ｄ  凹部、１２、１２X  接続管、１２A  リング状部材、１２A  接続管、１２Aａ  反射面、１２ａ  内周面、１３  蓋、１４、１４A  レンズ枠体、１４X  ミラー保持部、１４Y  保持枠、１４Z  ミラー保持部、１５  照明ランプ、１５A  LED、１５A１  基板、１６  プリズム、１６A  ロッドレンズ、１７、１７A  バッテリ、１８、１８A  蓋、１９  制御基板、１９ａ  制御回路、１９ｂ  入力回路、２０  リード線、２１  対物レンズ、２２  フォトダイオード、２２ａ  基板、２２ａ１  表面、２２ｂ、２２ｃ  基板、２２X  フレキシブル基板、３１ａ、３１ｂ、３１ｂ  リレーレンズ、３２  筒体、３２ａ  前側筒体、３２ｂ  後側筒体、３２ｃ  接続用筒体、３２ｃ１、３２ｃ２  内筒体、３３  接続管、３３ａ、３３ｂ、３３ｃ  レンズ枠、３４  接続管、３５ａ、３５ｂ、３５ｃ  固定部材、４１、４１X  筒体、４１ａ  凹部、４１ａ  スリット、４２  接眼レンズ、４３  接続用口金、４４、４４X  操作スイッチ、４４ａ、４４ｂ  スイッチ、４５  バッテリ、４６  蓋、４７  LED、４８  制御基板、４８ａ  制御回路、４９  赤外線出射装置、５０  カメラ、５１  ガラス板、５１X  基板、５３ａ  縁、６１  透明部材、６２  レンズ、６３  透明部材、６３ａ  切り欠き部、６３ｂ  散乱面、７１  バッテリ収容部、７２、７３  接点、７３ａ  基板、８１  プリズム、８２  レンズ、８３  フォトダイオード、８４  レーザ出力装置、９１  可動機構、９２  軸部、９３  ボタン、９４  圧縮バネ、９５  バッテリ、９６  バッテリ室、９７  蓋、９８  接眼レンズ、９９  レンズユニット、１０１ａ、１０２ａ  接片、１０３  リード線、１１１  操作レバー、１１１ａ  搭載部、１１１ｂ  操作部、１１２  軸部材、１１３  引っ張りバネ、１１４  固定部、１２１  移動機構、１
２１ａ  隙間、１２２  赤外光出射装置、１２３  反射装置、１２３ａ、１２３ｂ  ミラー、１２３ａ１、１２３ｂ１  反射面、１３１  フォトダイオード、１３２  発光部、１３３  バッテリ、１４１  フォトダイオード、１４１ａ  基板、１４２  LED、１４２ａ  基板、１４３  バッテリ、１４３ａ  バッテリ収容部、１４３ｂ  リード線、１５１、１５２  光コネクタ、１５２ａ  基板、１５３  光コネクタ、１５３ａ  基板、１５４  光ファイバ、１５５  内筒体、１６１  外筒、１６２  内筒、１６３  隙間、１６４  スペーサ、１６５、１６５ａ  螺子、１６６ａ、１６６ｂ、１６６ｃ  スペーサ、１７１  加速度センサ、１８１  圧力センサ、１８１ａ  基板、１８２  接続口金、１８３  孔、１８４  ポンプ、１８５  コネクタ、１８６  チューブ、１８７  スイッチ１９１、１９２  マイクロフォン、１９３  管路、１９４  発音部材、１９５  マイクロフォン、２０１  LED。
【図１】
0006599722.tif 000002
【図２】
0006599722.tif 000003
【図３】
0006599722.tif 000004
【図４】
0006599722.tif 000005
【図５】
0006599722.tif 000006
【図６】
0006599722.tif 000007
【図７】
0006599722.tif 000008
【図８】
0006599722.tif 000009
【図８Ａ】
0006599722.tif 000010
【図９】
0006599722.tif 000011
【図１０】
0006599722.tif 000012
【図１１】
0006599722.tif 000013
【図１２】
0006599722.tif 000014
【図１３】
0006599722.tif 000015
【図１４】
0006599722.tif 000016
【図１５】
0006599722.tif 000017
【図１６】
0006599722.tif 000018
【図１７】
0006599722.tif 000019
【図１８】
0006599722.tif 000020
【図１９】
0006599722.tif 000021
【図２０】
0006599722.tif 000022
【図２１】
0006599722.tif 000023
【図２２】
0006599722.tif 000024
【図２３】
0006599722.tif 000025
【図２４】
0006599722.tif 000026
【図２５】
0006599722.tif 000027
【図２６】
0006599722.tif 000028
【図２７】
0006599722.tif 000029
【図２８】
0006599722.tif 000030
【図２９】
0006599722.tif 000031
【図３０】
0006599722.tif 000032
【図３１】
0006599722.tif 000033
【図３２】
0006599722.tif 000034
【図３３】
0006599722.tif 000035
【図３４】
0006599722.tif 000036
【図３５】
0006599722.tif 000037